(57)【要約】【課題】この発明の課題は、編集後の電子文書が比較的狭い領域に表示される場合においても、当該編集後の電子文書における編集箇所を容易に確認することが可能な技術を提供する。【解決手段】情報端末１０は、電子文書に対する編集作業において編集装置で編集された複数の被編集オブジェクトＯＢｉの当該電子文書内での位置情報が記憶された編集内容情報を当該編集装置から取得する。この後、情報端末１０は、当該編集内容情報に記憶された位置情報に基づいて、編集後の電子文書に埋め込まれた複数の埋込オブジェクトＯＢｉの中から、編集作業において編集された一の被編集オブジェクトＯＢ１を特定する。そして、情報端末１０は、当該一の被編集オブジェクトＯＢ１を含む第１ページＰＧ１を表示する際に、当該一の被編集オブジェクトＯＢ１を拡大表示する。【選択図】図１５
2014119989.tif 000002
【特許請求の範囲】
【請求項１】
電子文書表示装置であって、
電子文書に対する編集作業において編集された一の被編集オブジェクトの前記電子文書内での位置情報が記憶された編集内容情報を取得する情報取得手段と、
編集後の前記電子文書を取得する電子文書取得手段と、
前記編集内容情報に記憶された前記位置情報に基づいて、編集後の前記電子文書に埋め込まれた複数の埋込オブジェクトの中から、前記編集作業において編集された前記一の被編集オブジェクトを特定する特定手段と、
編集後の前記電子文書を表示する表示制御手段と、
を備え、
前記表示制御手段は、前記一の被編集オブジェクトを含む一のページを表示する際に、前記特定手段により特定された前記一の被編集オブジェクトを拡大表示することを特徴とする電子文書表示装置。
【請求項２】
請求項１に記載の電子文書表示装置において、
前記編集内容情報は、前記電子文書に対する編集作業において編集された複数の被編集オブジェクトの前記電子文書内での各位置情報をそれぞれ記憶し、
前記特定手段は、前記編集内容情報に記憶された前記各位置情報に基づいて、編集後の前記電子文書に埋め込まれた複数の埋込オブジェクトの中から、前記編集作業において編集された前記複数の被編集オブジェクトをそれぞれ特定し、
前記表示制御手段は、前記複数の被編集オブジェクトのそれぞれを含む各ページを表示する際に、前記特定手段により特定された前記複数の被編集オブジェクトのそれぞれを拡大表示することを特徴とする電子文書表示装置。
【請求項３】
請求項２に記載の電子文書表示装置において、
前記表示制御手段は、前記複数の被編集オブジェクトを順次に拡大表示することを特徴とする電子文書表示装置。
【請求項４】
請求項３に記載の電子文書表示装置において、
前記複数の被編集オブジェクトの中から複数の拡大対象候補オブジェクトを選択する選択手段、
をさらに備え、
前記特定手段は、前記編集内容情報に記憶された前記各位置情報に基づいて、編集後の前記電子文書に埋め込まれた複数の埋込オブジェクトの中から、前記複数の拡大対象候補オブジェクトをそれぞれ特定し、
前記表示制御手段は、前記特定手段により特定された前記複数の拡大対象候補オブジェクトを順次に拡大表示することを特徴とする電子文書表示装置。
【請求項５】
請求項２に記載の電子文書表示装置において、
前記複数の被編集オブジェクトの中から前記一の被編集オブジェクトを指定する指定手段、
をさらに備え、
前記特定手段は、前記一の被編集オブジェクトに対応する前記位置情報に基づいて、編集後の前記電子文書に埋め込まれた前記複数の埋込オブジェクトの中から、前記指定手段により指定された前記一の被編集オブジェクトを特定し、
前記表示制御手段は、前記指定手段による指定に応答して、前記特定手段により特定された前記一の被編集オブジェクトを拡大表示することを特徴とする電子文書表示装置。
【請求項６】
請求項５に記載の電子文書表示装置において、
前記複数の被編集オブジェクトの中から１または２以上の拡大対象候補オブジェクトを選択する選択手段、
をさらに備え、
前記選択手段によって選択された前記１または２以上の拡大対象候補オブジェクトの中から、前記一の被編集オブジェクトが前記指定手段によって指定され、
前記特定手段は、前記一の被編集オブジェクトに対応する前記位置情報に基づいて、編集後の前記電子文書に埋め込まれた前記複数の埋込オブジェクトの中から、前記指定手段により指定された前記一の被編集オブジェクトを特定し、
前記表示制御手段は、前記指定手段による指定に応答して、前記特定手段により特定された前記一の被編集オブジェクトを拡大表示することを特徴とする電子文書表示装置。
【請求項７】
請求項１ないし請求項６のいずれかに記載の電子文書表示装置において、
前記表示制御手段は、前記一の被編集オブジェクトの拡大表示前において、前記一の被編集オブジェクトに特定の色を付して表示することを特徴とする電子文書表示装置。
【請求項８】
請求項１ないし請求項６のいずれかに記載の電子文書表示装置において、
前記表示制御手段は、前記一の被編集オブジェクトの拡大表示前において、前記一の被編集オブジェクトを点滅表示することを特徴とする電子文書表示装置。
【請求項９】
請求項１ないし請求項６のいずれかに記載の電子文書表示装置において、
前記表示制御手段は、前記一の被編集オブジェクトの拡大表示前において、前記一の被編集オブジェクトを囲み線により囲んで表示することを特徴とする電子文書表示装置。
【請求項１０】
請求項１ないし請求項６のいずれかに記載の電子文書表示装置において、
前記表示制御手段は、前記一の被編集オブジェクトの拡大表示前において、前記一の被編集オブジェクトに下線を付加して表示することを特徴とする電子文書表示装置。
【請求項１１】
ａ）電子文書に対する編集作業において編集された一の被編集オブジェクトの前記電子文書内での位置情報が記憶された編集内容情報を取得するステップと、
ｂ）編集後の前記電子文書を取得するステップと、
ｃ）前記編集内容情報に記憶された前記位置情報に基づいて、編集後の前記電子文書に埋め込まれた複数の埋込オブジェクトの中から、前記編集作業において編集された前記一の被編集オブジェクトを特定するステップと、
ｄ）前記編集後の前記電子文書を表示するステップと、
をコンピュータに実行させるためのプログラムであって、
前記ステップｄ）は、前記一の被編集オブジェクトを含む一のページを表示する際に、前記ステップｃ）において特定された前記一の被編集オブジェクトを拡大表示するステップを有することを特徴とするプログラム。
【請求項１２】
電子文書処理システムであって、
電子文書を編集する電子文書編集装置と、
編集後の前記電子文書を表示する電子文書表示装置と、
を備え、
前記電子文書編集装置は、
前記電子文書に対する編集作業において編集された一の被編集オブジェクトの前記電子文書内での位置情報が記憶された編集内容情報を生成する生成手段と、
前記編集内容情報と前記編集後の前記電子文書とを前記電子文書表示装置に送信する送信手段と、
を有し、
前記電子文書表示装置は、
前記編集内容情報を取得する情報取得手段と、
前記編集後の前記電子文書を取得する電子文書取得手段と、
前記編集内容情報に記憶された前記位置情報に基づいて、編集後の前記電子文書に埋め込まれた複数の埋込オブジェクトの中から、前記編集作業において編集された前記一の被編集オブジェクトを特定する特定手段と、
編集後の前記電子文書を表示する表示制御手段と、
を有し、
前記表示制御手段は、前記一の被編集オブジェクトを含む一のページを表示する際に、前記特定手段により特定された前記一の被編集オブジェクトを拡大表示することを特徴とする電子文書処理システム。
【発明の詳細な説明】
【技術分野】
【０００１】
本発明は、電子文書表示装置およびそれに関連する技術に関する。
【背景技術】
【０００２】
特定画像を比較的狭い領域に表示することが有る。たとえば、特許文献１には、複数のサムネイル画像を操作表示装置に一覧表示する技術が記載されている。当該技術においては、複数のサムネイル画像を一覧表示するため、各サムネイル画像は比較的狭い領域に表示される。
【０００３】
また、近年、携帯情報端末（ＰＤＡ（Personal Digital Assistant））およびスマートフォン等の小型の情報端末（以下、単に情報端末とも称する）が普及している。当該情報端末は携帯性に優れている反面、当該情報端末に搭載されるディスプレイは、据置型の液晶ディスプレイ等に比べて小さい。このような情報端末のディスプレイを用いて特定画像を表示する場合においても、当該特定画像は比較的狭い領域に表示される。
【先行技術文献】
【特許文献】
【０００４】
【特許文献１】特開２０１１−２５４１３８号公報
【発明の概要】
【発明が解決しようとする課題】
【０００５】
ところで、電子文書に対する編集作業をプリントショップ（印刷会社）等に依頼することが有る。この場合、当該電子文書の編集完了後に、編集後の電子文書を携帯情報端末等のディスプレイに表示し、当該編集後の電子文書における編集箇所を顧客に確認してもらうことが想定される。
【０００６】
しかしながら、編集後の電子文書が携帯情報端末等のディスプレイ内の比較的狭い領域に表示される場合には、当該編集後の電子文書の視認性が低下し、当該編集後の電子文書における編集箇所を確認し難いという問題が有る。
【０００７】
そこで、この発明の課題は、編集後の電子文書が比較的狭い領域に表示される場合においても、当該編集後の電子文書における編集箇所を容易に確認することが可能な技術を提供することに有る。
【課題を解決するための手段】
【０００８】
上記課題を解決すべく、請求項１の発明は、電子文書表示装置であって、電子文書に対する編集作業において編集された一の被編集オブジェクトの前記電子文書内での位置情報が記憶された編集内容情報を取得する情報取得手段と、編集後の前記電子文書を取得する電子文書取得手段と、前記編集内容情報に記憶された前記位置情報に基づいて、編集後の前記電子文書に埋め込まれた複数の埋込オブジェクトの中から、前記編集作業において編集された前記一の被編集オブジェクトを特定する特定手段と、編集後の前記電子文書を表示する表示制御手段と、を備え、前記表示制御手段は、前記一の被編集オブジェクトを含む一のページを表示する際に、前記特定手段により特定された前記一の被編集オブジェクトを拡大表示することを特徴とする。
【０００９】
請求項２の発明は、請求項１の発明に係る電子文書表示装置において、前記編集内容情報は、前記電子文書に対する編集作業において編集された複数の被編集オブジェクトの前記電子文書内での各位置情報をそれぞれ記憶し、前記特定手段は、前記編集内容情報に記憶された前記各位置情報に基づいて、編集後の前記電子文書に埋め込まれた複数の埋込オブジェクトの中から、前記編集作業において編集された前記複数の被編集オブジェクトをそれぞれ特定し、前記表示制御手段は、前記複数の被編集オブジェクトのそれぞれを含む各ページを表示する際に、前記特定手段により特定された前記複数の被編集オブジェクトのそれぞれを拡大表示することを特徴とする。
【００１０】
請求項３の発明は、請求項２の発明に係る電子文書表示装置において、前記表示制御手段は、前記複数の被編集オブジェクトを順次に拡大表示することを特徴とする。
【００１１】
請求項４の発明は、請求項３の発明に係る電子文書表示装置において、前記複数の被編集オブジェクトの中から複数の拡大対象候補オブジェクトを選択する選択手段、をさらに備え、前記特定手段は、前記編集内容情報に記憶された前記各位置情報に基づいて、編集後の前記電子文書に埋め込まれた複数の埋込オブジェクトの中から、前記複数の拡大対象候補オブジェクトをそれぞれ特定し、前記表示制御手段は、前記特定手段により特定された前記複数の拡大対象候補オブジェクトを順次に拡大表示することを特徴とする。
【００１２】
請求項５の発明は、請求項２の発明に係る電子文書表示装置において、前記複数の被編集オブジェクトの中から前記一の被編集オブジェクトを指定する指定手段、をさらに備え、前記特定手段は、前記一の被編集オブジェクトに対応する前記位置情報に基づいて、編集後の前記電子文書に埋め込まれた前記複数の埋込オブジェクトの中から、前記指定手段により指定された前記一の被編集オブジェクトを特定し、前記表示制御手段は、前記指定手段による指定に応答して、前記特定手段により特定された前記一の被編集オブジェクトを拡大表示することを特徴とする。
【００１３】
請求項６の発明は、請求項５の発明に係る電子文書表示装置において、前記複数の被編集オブジェクトの中から１または２以上の拡大対象候補オブジェクトを選択する選択手段、をさらに備え、前記選択手段によって選択された前記１または２以上の拡大対象候補オブジェクトの中から、前記一の被編集オブジェクトが前記指定手段によって指定され、前記特定手段は、前記一の被編集オブジェクトに対応する前記位置情報に基づいて、編集後の前記電子文書に埋め込まれた前記複数の埋込オブジェクトの中から、前記指定手段により指定された前記一の被編集オブジェクトを特定し、前記表示制御手段は、前記指定手段による指定に応答して、前記特定手段により特定された前記一の被編集オブジェクトを拡大表示することを特徴とする。
【００１４】
請求項７の発明は、請求項１ないし請求項６のいずれかの発明に係る電子文書表示装置において、前記表示制御手段は、前記一の被編集オブジェクトの拡大表示前において、前記一の被編集オブジェクトに特定の色を付して表示することを特徴とする。
【００１５】
請求項８の発明は、請求項１ないし請求項６のいずれかの発明に係る電子文書表示装置において、前記表示制御手段は、前記一の被編集オブジェクトの拡大表示前において、前記一の被編集オブジェクトを点滅表示することを特徴とする。
【００１６】
請求項９の発明は、請求項１ないし請求項６のいずれかの発明に係る電子文書表示装置において、前記表示制御手段は、前記一の被編集オブジェクトの拡大表示前において、前記一の被編集オブジェクトを囲み線により囲んで表示することを特徴とする。
【００１７】
請求項１０の発明は、請求項１ないし請求項６のいずれかの発明に係る電子文書表示装置において、前記表示制御手段は、前記一の被編集オブジェクトの拡大表示前において、前記一の被編集オブジェクトに下線を付加して表示することを特徴とする。
【００１８】
請求項１１の発明は、ａ）電子文書に対する編集作業において編集された一の被編集オブジェクトの前記電子文書内での位置情報が記憶された編集内容情報を取得するステップと、ｂ）編集後の前記電子文書を取得するステップと、ｃ）前記編集内容情報に記憶された前記位置情報に基づいて、編集後の前記電子文書に埋め込まれた複数の埋込オブジェクトの中から、前記編集作業において編集された前記一の被編集オブジェクトを特定するステップと、ｄ）前記編集後の前記電子文書を表示するステップと、をコンピュータに実行させるためのプログラムであって、前記ステップｄ）は、前記一の被編集オブジェクトを含む一のページを表示する際に、前記ステップｃ）において特定された前記一の被編集オブジェクトを拡大表示するステップを有することを特徴とする。
【００１９】
請求項１２の発明は、電子文書処理システムであって、電子文書を編集する電子文書編集装置と、編集後の前記電子文書を表示する電子文書表示装置と、を備え、前記電子文書編集装置は、前記電子文書に対する編集作業において編集された一の被編集オブジェクトの前記電子文書内での位置情報が記憶された編集内容情報を生成する生成手段と、前記編集内容情報と前記編集後の前記電子文書とを前記電子文書表示装置に送信する送信手段と、を有し、前記電子文書表示装置は、前記編集内容情報を取得する情報取得手段と、前記編集後の前記電子文書を取得する電子文書取得手段と、前記編集内容情報に記憶された前記位置情報に基づいて、編集後の前記電子文書に埋め込まれた複数の埋込オブジェクトの中から、前記編集作業において編集された前記一の被編集オブジェクトを特定する特定手段と、編集後の前記電子文書を表示する表示制御手段と、を有し、前記表示制御手段は、前記一の被編集オブジェクトを含む一のページを表示する際に、前記特定手段により特定された前記一の被編集オブジェクトを拡大表示することを特徴とする。
【発明の効果】
【００２０】
請求項１ないし請求項１２に記載の発明によれば、編集内容情報に記憶された位置情報に基づいて、編集後の電子文書に埋め込まれた複数の埋込オブジェクトの中から、電子文書の編集作業において編集された一の被編集オブジェクトが特定される。そして、当該一の被編集オブジェクトを含む一のページを表示する際に、当該一の被編集オブジェクトが拡大表示される。したがって、編集後の電子文書が比較的狭い領域に表示される場合においても、当該編集後の電子文書における編集箇所を容易に確認することが可能である。
【００２１】
特に、請求項２に記載の発明によれば、複数の被編集オブジェクトのそれぞれを含む各ページを表示する際に、当該複数の被編集オブジェクトのそれぞれが拡大表示される。したがって、編集後の電子文書における編集箇所が複数存在する場合においても、それぞれの編集箇所を容易に確認することが可能である。
【００２２】
また特に、請求項３に記載の発明によれば、複数の被編集オブジェクトが順次に拡大表示されるので、複数の被編集オブジェクトのそれぞれを連続して確認することが可能である。
【００２３】
また特に、請求項４に記載の発明によれば、複数の被編集オブジェクトの中から複数の拡大対象候補オブジェクトが選択され、当該複数の拡大対象候補オブジェクトが順次に拡大表示される。したがって、編集後の電子文書における複数の編集箇所の中から確認を要しない編集箇所を予め除外した上で、確認したい編集箇所を拡大表示して確認することが可能である。
【００２４】
また特に、請求項５に記載の発明によれば、複数の被編集オブジェクトの中から一の被編集オブジェクトが指定され、当該一の被編集オブジェクトが拡大表示される。したがって、編集後の電子文書における複数の編集箇所の中から指定した編集箇所を選択的に確認することが可能である。
【００２５】
また特に、請求項７ないし請求項１０に記載の発明によれば、拡大表示の対象である一の被編集オブジェクトが配置されている箇所を当該一の被編集オブジェクトの拡大表示前に予め把握することが可能である。
【図面の簡単な説明】
【００２６】
【図１】第１実施形態に係る電子文書処理システムの概略構成を示す図である。
【図２】編集前の電子文書を示す図である。
【図３】編集指示書を示す図である。
【図４】編集項目管理シートを示す図である。
【図５】編集前後の電子文書の第１ページを示す図である。
【図６】編集前後の電子文書の第２ページを示す図である。
【図７】編集前後の電子文書の第３ページを示す図である。
【図８】編集内容情報を示す
【図９】情報端末の外観を示す図である。
【図１０】情報端末の外観を示す図である。
【図１１】情報端末の構成を示す機能ブロック図である。
【図１２】編集装置の構成を示す機能ブロック図である。
【図１３】編集装置の動作を示すフローチャートである。
【図１４】情報端末に表示される電子文書の第１ページを示す図である。
【図１５】情報端末に表示される電子文書の第１ページを示す図である。
【図１６】情報端末に表示される電子文書の第１ページを示す図である。
【図１７】情報端末に表示される電子文書の第２ページを示す図である。
【図１８】情報端末に表示される電子文書の第２ページを示す図である。
【図１９】情報端末に表示される電子文書の第３ページを示す図である。
【図２０】情報端末に表示される電子文書の第３ページを示す図である。
【図２１】第２実施形態に係る情報端末の構成を示す機能ブロック図である。
【図２２】情報端末に表示される選択用画面を示す図である。
【図２３】情報端末に表示される電子文書の第１ページを示す図である。
【図２４】情報端末に表示される電子文書の第１ページを示す図である。
【図２５】情報端末に表示される電子文書の第２ページを示す図である。
【図２６】情報端末に表示される電子文書の第３ページを示す図である。
【図２７】情報端末に表示される電子文書の第１ページを示す図である。
【図２８】情報端末に表示される電子文書の第１ページを示す図である。
【図２９】情報端末に表示される電子文書の第１ページを示す図である。
【図３０】情報端末に表示される電子文書の第１ページを示す図である。
【発明を実施するための形態】
【００２７】
以下、本発明の実施形態を図面に基づいて説明する。
【００２８】
＜１．第１実施形態＞
＜１−１．概要＞
図１は、電子文書処理システム１の構成を示す概略図である。電子文書処理システム１は、情報端末１０と電子文書編集装置（単に編集装置とも称する）３０とを備えている。
【００２９】
情報端末１０と編集装置３０とはネットワークＮＷを介して互いに通信可能に接続される。ネットワークＮＷは、ＬＡＮ（Local Area Network）およびインターネットなどの各種のネットワークを含む。ネットワークＮＷへの接続形態は、有線接続であってもよく或いは無線接続であってもよい。たとえば、情報端末１０はネットワークＮＷに対して無線接続され、編集装置３０はネットワークＮＷに対して有線接続される。
【００３０】
図１に示すように、情報端末１０は、ここでは、プリントショップ（印刷会社）の営業担当者ＳＳにより用いられる。営業担当者ＳＳは、電子文書ＥＤの編集依頼を顧客ＣＵから受注し、編集オペレーターＯＰに編集作業の指示を行う担当者である。また、編集装置３０は、プリントショップの編集オペレーターＯＰにより用いられる。編集オペレーターＯＰは、編集装置３０を用いて電子文書ＥＤの編集を行う担当者（作業者）である。
【００３１】
以下では、この電子文書処理システム１における「電子文書処理フロー」の概要について説明する。
【００３２】
まず、図１に示すように、顧客ＣＵは、電子文書ＥＤに対する編集作業をプリントショップに依頼する。具体的には、顧客ＣＵは、編集前の電子文書ＥＤ（図２参照）に対する編集指示内容を営業担当者ＳＳに口頭で伝達する。なお、ここでは、図２に示すように、電子文書ＥＤは、全３ページＰＧ１〜ＰＧ３で構成されている。また、編集前の電子文書ＥＤは、予めプリントショップに引き渡されている。
【００３３】
これに対して、営業担当者ＳＳは、顧客ＣＵから口頭で伝達される編集指示内容を情報端末１０を用いて編集項目管理シートＳＴ（図４参照）に適宜入力する。編集項目管理シートＳＴは、電子文書ＥＤに対する編集指示内容をプリントショップの編集オペレーターＯＰに伝達する際に用いられるシートである。この編集項目管理シートＳＴについては、後に詳述する。
【００３４】
なお、ここでは、電子文書ＥＤに対する編集指示内容が顧客ＣＵから営業担当者ＳＳに口頭で伝達され、当該編集指示内容が編集項目管理シートＳＴに適宜入力される場合を例示するが、これに限定されない。たとえば、顧客ＣＵの編集要望を記録した編集指示書ＤＲ（図３参照）が顧客ＣＵから営業担当者ＳＳに引き渡され、当該編集指示内容ＤＲに基づく編集指示内容が編集項目管理シートＳＴに入力されるようにしてもよい。
【００３５】
編集項目管理シートＳＴの入力が完了すると、営業担当者ＳＳは、情報端末１０を介して編集前の電子文書ＥＤ（図２参照）と編集項目管理シートＳＴ（図４参照）とを編集オペレーターＯＰ（詳細には、編集オペレーターＯＰにより用いられる編集装置３０）に送信する。
【００３６】
これに対して、編集オペレーターＯＰは、編集装置３０を用いて電子文書ＥＤに対する編集作業を行う。具体的には、編集オペレーターＯＰは、編集項目管理シートＳＴ（図４参照）に入力された編集指示内容に従って、電子文書ＥＤの各ページＰＧ１〜ＰＧ３を適宜編集する。なお、後に詳述するように、電子文書ＥＤに対する編集作業が完了すると、編集後の電子文書ＥＤにおける編集箇所に関する情報が記録された編集内容情報ＥＪ（図８参照）が編集装置３０において生成される。この編集内容情報ＥＪについては、後に詳述する。
【００３７】
この後、編集オペレーターＯＰは、編集装置３０を介して編集後の電子文書ＥＤ（図５〜図７参照）と編集内容情報ＥＪ（図８参照）とを営業担当者ＳＳ（詳細には、営業担当者ＳＳにより用いられる情報端末１０）に送信する。
【００３８】
これに対して、営業担当者ＳＳは、編集後の電子文書ＥＤ（図５〜図７参照）を情報端末１０を用いて表示させ、当該編集後の電子文書ＥＤにおける編集箇所を顧客ＣＵに確認してもらう。この表示動作については、後に詳述する。
【００３９】
＜１−２．情報端末１０＞
情報端末１０は、電子文書ＥＤの表示等に用いられる装置である。ここでは、情報端末１０として、携帯端末、より詳細にはタブレット型端末を例示する。ただし、これに限定されず、情報端末１０は、スマートフォンであってもよく或いはパーソナルコンピュータであってもよい。また、情報端末１０は、携帯式の装置であってもよく、据置型の装置であってもよい。なお、情報端末１０は、電子文書ＥＤの表示に用いられることから、電子文書表示装置１０とも表現される。
【００４０】
図９および図１０は、情報端末１０の外観が示されている。図９および図１０に示されるように、タッチパネルＴＰは、短辺の長さＬ１と長辺の長さＬ２とを有する矩形形状（詳細には、長さＬ２が長さＬ１より大きい長方形形状）を有する。以下では、図９の状態を「情報端末１０が縦向きの姿勢である」とも表現し、図１０の状態を「情報端末１０が横向きの姿勢である」とも表現する。
【００４１】
図１１は、情報端末１０の構成を示す機能ブロック図である。図１１に示すように、情報端末１０は、通信部１４、格納部１５、入出力部１６、姿勢センサ部１７およびコントローラ１９等を備えている。
【００４２】
通信部１４は、ネットワークＮＷを介したネットワーク通信を行うことが可能な処理部である。当該ネットワーク通信を利用することによって、情報端末１０は、所望の相手先（たとえば、編集装置３０）との間で各種のデータを授受することが可能である。
【００４３】
通信部１４は、送信部と受信部とを有している。
【００４４】
通信部１４の送信部は、編集項目管理シートＳＴ（図４参照）を編集装置３０に送信する。
【００４５】
通信部１４の受信部は、編集後の電子文書ＥＤ（図５〜図７参照）と編集内容情報ＥＪ（図８参照）とを編集装置３０から受信する。
【００４６】
格納部１５は、ハードディスクドライブ（ＨＤＤ）等の記憶装置で構成されている。格納部３５は、編集項目管理シートＳＴ（図４参照）を格納する。
【００４７】
編集項目管理シートＳＴは、上述のように、電子文書ＥＤに対する編集指示内容をプリントショップの編集オペレーターＯＰに伝達する際に用いられるシートである。具体的には、編集項目管理シートＳＴには、図４に示すように、電子文書ＥＤに対する編集作業において編集される予定のオブジェクトＯＢｉ（以下、編集対象オブジェクトＯＢｉとも称する）に関する情報が記憶されている。具体的には、編集項目管理シートＳＴには、編集対象オブジェクトＯＢｉに関する情報として項目「ページ番号」、項目「種類」、項目「ファイル名」および項目「領域」とが入力される。
【００４８】
項目「ページ番号」には、編集対象オブジェクトＯＢｉが挿入されているページあるいは挿入すべきページのページ番号が入力される。当該項目「ページ番号」はテキストボックスで構成されており、営業担当者ＳＳは、当該項目「ページ番号」にページ番号を直接に入力する。
【００４９】
項目「種類」には、編集対象オブジェクトＯＢｉの種類（詳細には、「ページ番号（MS Pゴシック）」、「ページ番号（MS 明朝）」、「画像」および「会社ロゴ」等）が入力される。当該項目「属性」はプルダウンメニューで構成されており、営業担当者ＳＳは、当該プルダウンメニューから編集対象オブジェクトＯＢｉの種類を選択する。
【００５０】
項目「ファイル名」には、編集対象オブジェクトＯＢｉがデータファイルである場合に当該データファイルのファイル名が入力される。たとえば、編集項目管理シートＳＴの２行目には、編集対象オブジェクトＯＢ２として追加する画像データのファイル名（「ｐａｇｅ１．ｊｐｇ」）が入力されている。また、編集項目管理シートＳＴの６行目には、編集対象オブジェクトＯＢ６として追加する会社ロゴ（画像データ）のファイル名（「ｃｏｍｐａｎｙ  ｌｏｇｏ．ｂｍｐ」）が入力されている。当該項目「ファイル名」はテキストボックスで構成されており、営業担当者ＳＳは、当該項目「ファイル名」にデータファイルのファイル名を直接入力する。
【００５１】
項目「領域」には、編集対象オブジェクトＯＢｉが挿入されている領域（「本文」、「ヘッダー」、「フッダー」等）あるいは挿入すべき領域が入力される。当該項目「領域」はプルダウンメニューで構成されており、営業担当者ＳＳは、当該プルダウンメニューから領域を選択するものとする。
【００５２】
入出力部１６は、情報端末１０に対する入力を受け付ける操作入力部１６ａと、各種情報の表示出力を行う表示部１６ｂとを備えている。この情報端末１０においては、液晶表示パネルに圧電センサ等が埋め込まれて構成されたタッチパネル（タッチスクリーン）ＴＰ（図９参照）が設けられている。当該タッチパネルＴＰは、操作入力部１６ａの一部としても機能するとともに、表示部１６ｂの一部としても機能する。
【００５３】
姿勢センサ部１７は、情報端末１０が縦向きの姿勢（図９の状態）であるか、あるいは、情報端末１０が横向きの姿勢（図１０の状態）であるかを判断する処理部である。
【００５４】
コントローラ１９は、情報端末１０に内蔵され、情報端末１０を統括的に制御する制御装置である。コントローラ１９は、ＣＰＵおよび各種の半導体メモリ（ＲＡＭおよびＲＯＭ）等を備えるコンピュータシステムとして構成される。コントローラ１９は、ＣＰＵにおいて、記憶部（半導体メモリ等）内に格納されている所定のソフトウエアプログラム（以下、単にプログラムとも称する）ＰＧ１を実行することによって、各種の処理部を実現する。当該プログラムＰＧ１は、電子文書ＥＤをタッチパネルＴＰに表示するビューアー機能を実現する。なお、当該プログラムＰＧ１は、ＵＳＢメモリなどの可搬性の記録媒体、あるいはネットワークＮＷ等を介して情報端末１０にインストールされるようにしてもよい。
【００５５】
図１１に示すように、コントローラ１９は、プログラムＰＧ１の実行により、情報取得部５１、電子文書取得部５３、指定部５４、特定部５５と、表示制御部５７とを含む各種の処理部を実現する。
【００５６】
情報取得部５１は、編集装置３０で編集された編集内容情報ＥＪ（図８参照）を取得する処理部である。当該編集内容情報ＥＪには、電子文書ＥＤに対する編集作業において編集装置３０で編集された複数のオブジェクト（以下、被編集オブジェクトとも称する）ＯＢｉの電子文書ＥＤ内での各位置情報ＰＪがそれぞれ記憶されている。
【００５７】
電子文書取得部５３は、編集後の電子文書ＥＤを取得する処理部である。
【００５８】
指定部５４は、複数の被編集オブジェクトＯＢｉ（ＯＢ１〜ＯＢ６）の中から一の被編集オブジェクトＯＢを指定する処理部である。
【００５９】
特定部５５は、編集内容情報ＥＪに記憶された各位置情報ＰＪに基づいて、複数の埋込オブジェクトＯＢｉの中から、指定部５４により指定された一の被編集オブジェクトＯＢを特定する処理部である。
【００６０】
表示制御部５７は、タッチパネルＴＰにおける表示動作を制御する処理部である。具体的には、表示制御部５７は、編集後の電子文書ＥＤをタッチパネルＴＰに表示する。
【００６１】
＜１−３．編集装置３０＞
編集装置３０は、電子文書ＥＤの編集等に用いられる装置である。ここでは、編集装置３０として、パーソナルコンピュータを例示する。
【００６２】
図１２は、編集装置３０の構成を示す機能ブロック図である。ここでは、編集装置３０は、いわゆるパーソナルコンピュータとして構成される。
【００６３】
図１２に示すように、編集装置３０は、通信部３４、格納部３５、入出力部３６およびコントローラ３９等を備えている。
【００６４】
通信部３４は、ネットワークＮＷを介したネットワーク通信を行うことが可能な処理部である。このネットワーク通信では、たとえば、ＴＣＰ／ＩＰ（Transmission Control Protocol / Internet Protocol）等の各種のプロトコルが利用される。当該ネットワーク通信を利用することによって、編集装置３０は、所望の相手先（たとえば、情報端末１０）との間で各種のデータを授受することが可能である。
【００６５】
通信部３４は、受信部と送信部とを有している。
【００６６】
通信部３４の受信部は、編集項目管理シートＳＴ（図４参照）を情報端末１０から受信する。
【００６７】
通信部３４の送信部は、編集後の電子文書ＥＤ（図５〜図７参照）と編集内容情報ＥＪ（図８参照）とを情報端末１０に送信する。
【００６８】
格納部３５は、ハードディスクドライブ（ＨＤＤ）等の記憶装置で構成されている。格納部３５は、情報端末１０から送信されてくる編集前の電子文書ＥＤ（図２参照）と編集項目管理シートＳＴ（図４参照）とを格納する。
【００６９】
入出力部３６は、編集装置３０に対する入力を受け付ける操作入力部３６ａと、各種情報の表示出力を行う表示部３６ｂとを有している。例えば、操作入力部３６ａとしてはキーボードおよびマウス等が設けられ、表示部３６ｂとしては液晶表示装置等が設けられる。
【００７０】
コントローラ３９は、編集装置３０に内蔵され、編集装置３０を統括的に制御する制御装置である。コントローラ３９は、ＣＰＵおよび各種の半導体メモリ（ＲＡＭおよびＲＯＭ）等を備えるコンピュータシステムとして構成される。コントローラ３９は、ＣＰＵにおいて、記憶部（半導体メモリ等）内に格納されている所定のソフトウエアプログラム（以下、単にプログラムとも称する）ＰＧ２を実行することによって、各種の処理部を実現する。なお、当該プログラムＰＧ２は、ＵＳＢメモリなどの可搬性の記録媒体、あるいはネットワークＮＷ等を介して編集装置３０にインストールされるようにしてもよい。
【００７１】
図１２に示すように、コントローラ３９は、プログラムＰＧ２の実行により、抽出部７１と、生成部７３とを含む各種の処理部を実現する。
【００７２】
抽出部７１は、編集前後の電子文書ＥＤを相互に比較し、編集前の電子文書ＥＤと編集後の電子文書ＥＤとの差分に基づいて、（電子文書ＥＤの編集作業において編集装置３０で編集された）複数の被編集オブジェクトＯＢｉを編集後の電子文書ＥＤから抽出する処理部である。
【００７３】
生成部７３は、抽出部７１により抽出された複数の被編集オブジェクトＯＢｉの各位置情報ＰＪを記憶する編集内容情報ＥＪ（図８参照）を生成する処理部である。
【００７４】
＜１−４．動作＞
続いて、電子文書処理システム１の動作について説明する。以下では、まず、編集装置３０における電子文書ＥＤの編集動作等（編集動作およびそれに引き続く動作）について説明し、その後、情報端末１０における電子文書ＥＤの表示動作について説明する。
【００７５】
＜編集装置３０における電子文書ＥＤの編集動作等＞
図１３は、編集装置３０の動作を示すフローチャートである。以下では、図１３を参照しつつ、編集装置３０における電子文書ＥＤの編集動作等について説明する。
【００７６】
上述したように、編集オペレーターＯＰは、編集装置３０を用いて電子文書ＥＤに対する編集作業を行う。なお、図５および図６に示すように、編集前の電子文書ＥＤの第１ページＰＧ１および第２ページＰＧ２には、ページ番号のオブジェクトＯＢ、画像のオブジェクトＯＢおよび会社ロゴのオブジェクトＯＢが存在しない。一方、図７に示すように、編集前の電子文書ＥＤの第３ページＰＧ３には、画像のオブジェクトＯＢ１０が存在する。編集オペレーターＯＰは、このような編集前の電子文書ＥＤに対して次述の編集作業を行う。
【００７７】
具体的には、編集オペレーターＯＰは、編集項目管理シートＳＴを参照しながら、電子文書ＥＤの各ページにオブジェクトＯＢｉを新たに追加する編集を行う。たとえば、電子文書ＥＤの第１ページＰＧ１においては、ページ番号のオブジェクトＯＢ１および画像のオブジェクトＯＢ２を新たに追加する編集が行われる（図５参照）。また、電子文書ＥＤの第２ページＰＧ２においてはページ番号のオブジェクトＯＢ３および画像のオブジェクトＯＢ４を新たに追加する編集が行われ（図６参照）、電子文書ＥＤの第３ページにおいてはページ番号のオブジェクトＯＢ５および会社ロゴのオブジェクトＯＢ６を新たに追加する編集が行われる（図７参照）。
【００７８】
編集オペレーターＯＰによる電子文書ＥＤの編集作業が完了すると、編集装置３０は、次述する処理（図１３のフローチャートの処理）を実行する。
【００７９】
具体的には、ステップＳ１１において、編集装置３０の抽出部７１は、編集前後の電子文書ＥＤを相互に比較し、編集前の電子文書ＥＤと編集後の電子文書ＥＤとの差分に基づいて、被編集オブジェクトＯＢｉを当該編集後の電子文書ＥＤから抽出する（ステップＳ１１）。
【００８０】
詳細には、編集装置３０の抽出部７１は、電子文書ＥＤの第１ページＰＧ１から被編集オブジェクトＯＢ１，ＯＢ２（図５参照）を抽出する。また、編集装置３０の抽出部７１は、電子文書ＥＤの第２ページＰＧ２から被編集オブジェクトＯＢ３，ＯＢ４（図６参照）を抽出する。さらに、編集装置３０の抽出部７１は、電子文書ＥＤの第３ページＰＧ３から被編集オブジェクトＯＢ５，ＯＢ６（図７参照）を抽出する。
【００８１】
次のステップＳ１２において、編集装置３０は、抽出部７１により抽出された被編集オブジェクトＯＢｉに関する情報を取得する。具体的には、編集装置３０は、被編集オブジェクトＯＢｉが挿入されているページのページ番号と、当該被編集オブジェクトＯＢｉの種類と、当該被編集オブジェクトＯＢｉの相対位置座標（ページ内における位置情報）とを取得する。
【００８２】
詳細には、編集装置３０は、被編集オブジェクトＯＢ１，ＯＢ２，ＯＢ３，ＯＢ４，ＯＢ５，ＯＢ６が挿入されているページのページ番号（「１」，「１」，「２」，「２」，「３」，「３」）をそれぞれ取得する。
【００８３】
また、編集装置３０は、被編集オブジェクトＯＢ１，ＯＢ２，ＯＢ３，ＯＢ４，ＯＢ５，ＯＢ６の種類（「ページ番号（MS Pゴシック）」，「画像」，「ページ番号（MS Pゴシック）」，「画像」，「ページ番号（MS Pゴシック）」，「会社ロゴ」）をそれぞれ取得する。
【００８４】
さらに、編集装置３０は、被編集オブジェクトＯＢ１，ＯＢ２，ＯＢ３，ＯＢ４，ＯＢ５，ＯＢ６の絶対位置座標をそれぞれ相対位置座標に変換する。具体的には、編集装置３０は、矩形形状を有する各被編集オブジェクトＯＢｉの代表点（左上頂点ＬＶｉ）（図５〜図７参照）の各ページＰＧ１〜ＰＧ３内での各絶対位置座標ＡＲｉを算出し、当該各絶対位置座標ＡＲｉを相対位置座標ＲＢｉに変換する。このようにして、各相対位置座標ＲＢｉが各被編集オブジェクトＯＢｉ（詳細には、その代表点）の各ページＰＧ１〜ＰＧ３内での位置情報として取得される。
【００８５】
また、ステップＳ１３において、編集装置３０の生成部７３は、編集内容情報ＥＪ（図８参照）を生成する。具体的には、編集装置３０の生成部７３は、各被編集オブジェクトＯＢｉの電子文書内での位置情報ＰＪ（各被編集オブジェクトＯＢｉのページ番号および各被編集オブジェクトＯＢｉの相対位置座標）と当該各被編集オブジェクトＯＢｉの種類とを記憶した編集内容情報ＥＪ（図８参照）を生成する。
【００８６】
なお、ここでは、編集項目管理シートＳＴを用いることなく、編集前後の電子文書ＥＤのみから編集内容情報ＥＪが生成される場合を例示するが、これに限定されず、当該編集項目管理シートＳＴの一部の情報をも用いて編集内容情報ＥＪが生成されるようにしてもよい。
【００８７】
さらに、ステップＳ１４において、編集装置３０は、通信部３４を用いて、編集後の電子文書ＥＤ（図５〜図７参照）とステップＳ１３で生成された編集内容情報ＥＪ（図８参照）とを情報端末１０に送信する。
【００８８】
＜情報端末１０における電子文書ＥＤの表示動作＞
続いて、情報端末１０における電子文書ＥＤの表示動作について説明する。
【００８９】
編集後の電子文書ＥＤ（図５〜図７参照）と編集内容情報ＥＪ（図８参照）とが編集装置３０から受信されると、情報端末１０は、当該編集後の電子文書ＥＤと当該編集内容情報ＥＪとを格納部１５に格納する。
【００９０】
この後、営業担当者ＳＳによる操作入力に応答して電子文書ＥＤの閲覧用ビューアー（プログラムＰＧ１）が情報端末１０において起動され、情報端末１０の表示制御部５７は、当該電子文書ＥＤの第１ページＰＧ１全体を初期ページとしてタッチパネルＴＰに表示する（図１４参照）。
【００９１】
情報端末１０の姿勢センサ部１７は、当該情報端末１０が縦向きの姿勢（図９の状態）であるか、あるいは、当該情報端末１０が横向きの姿勢（図１０の状態）であるかを判断し、その判断結果に応じた向きで第１ページＰＧ１が表示される。
【００９２】
たとえば、情報端末１０が縦向きの姿勢であると判断される場合には、情報端末１０の表示制御部５７は、図１４に示すように、電子文書ＥＤの第１ページＰＧ１の長辺がタッチパネルＴＰの長辺に沿うように、当該第１ページＰＧ１全体を表示する。
【００９３】
一方、情報端末１０が横向きの姿勢であると判断される場合には、情報端末１０の表示制御部５７は、電子文書ＥＤの第１ページＰＧ１の短辺がタッチパネルＴＰの長辺に沿うように、当該第１のページＰＧ１全体を表示する。
【００９４】
また、ここでは、情報端末１０の表示制御部５７は、電子文書ＥＤの各ページＰＧ１〜ＰＧ３の縦横比を変更することなく、常に同一の縦横比で当該各ページＰＧ１〜ＰＧ３をタッチパネルＴＰに表示するものとする。たとえば、電子文書ＥＤの各ページＰＧ１〜ＰＧ３がＡ４サイズの縦横比（１：１．４（２の平方根））で構成される場合には、情報端末１０の表示制御部５７は、常にＡ４サイズの縦横比（１：１．４（２の平方根））で表示する。
【００９５】
また、図１４に示すように、情報端末１０の表示制御部５７は、電子文書ＥＤの第１ページＰＧ１の下側に複数のボタンＢＴ１〜ＢＴ６を配置するボタン配置領域ＢＡを表示する。
【００９６】
ボタン配置領域ＢＡ内の複数のボタンＢＴ１〜ＢＴ６は、複数の被編集オブジェクトＯＢ１〜ＯＢ６にそれぞれ対応づけられている。
【００９７】
複数のボタンＢＴ１〜ＢＴ６は、情報端末１０の指定部５４の一部として機能する。たとえば、当該複数のボタンＢＴ１〜ＢＴ６の中から一のボタンＢＴが押下されると、複数の被編集オブジェクトＯＢ１〜ＯＢ６の中から当該一のボタンＢＴに対応づけられている一の被編集オブジェクトＯＢが拡大対象として指定される。
【００９８】
ここでは、まず、ボタンＢＴ１が押下され、当該ボタンＢＴ１に対応づけられている被編集オブジェクトＯＢ１が拡大対象として指定される。
【００９９】
この後、情報端末１０の特定部５５は、被編集オブジェクトＯＢ１に対応する位置情報ＰＪ１に基づいて、複数の埋込オブジェクトＯＢｉ（ＯＢ１〜ＯＢ６，ＯＢ１０，...）の中から、ボタンＢＴ１により拡大対象として指定された被編集オブジェクトＯＢ１を特定する。
【０１００】
具体的には、情報端末１０の特定部５５は、編集内容情報ＥＪに記憶された位置情報ＰＪ１と複数の埋込オブジェクトＯＢｉの各位置情報とを比較する。詳細には、情報端末１０の特定部５５は、編集内容情報ＥＪの１行目に記憶されたページ番号「１」と複数の埋込オブジェクトＯＢｉの各ページ番号とを比較するとともに、編集内容情報ＥＪの１行目に記憶された相対位置座標ＲＢ１と複数の埋込オブジェクトＯＢｉの各相対位置座標（詳細には左上頂点における相対位置座標）とを比較する。そして、情報端末１０の特定部５５は、ページ番号「１」と一致するページ番号を有し且つ相対位置座標ＲＢ１と一致する相対位置座標を有する埋込オブジェクトＯＢ１を被編集オブジェクトＯＢ１として特定する。
【０１０１】
特定部５５により被編集オブジェクトＯＢ１が特定されると、情報端末１０の表示制御部５７は、被編集オブジェクトＯＢ１に関する２つの代表点（相対位置座標（詳細には左上頂点座標および右下頂点座標））を取得する。
【０１０２】
そして、情報端末１０の表示制御部５７は、被編集オブジェクトＯＢ１を含む第１ページＰＧ１をタッチパネルＴＰに表示する。このとき、情報端末１０の表示制御部５７は、情報端末１０の指定部５４による指定に応答して、情報端末１０の特定部５５により特定された被編集オブジェクトＯＢ１を拡大表示する（図１５参照）。具体的には、情報端末１０の表示制御部５７は、被編集オブジェクトＯＢ１の上記２つの代表点（左上頂点座標および右下頂点座標）の位置座標を利用して、当該被編集オブジェクトＯＢ１を拡大表示する。より詳細には、情報端末１０の表示制御部５７は、当該２つの代表点の位置座標を参照して、拡大前における被編集オブジェクトＯＢ１の領域を特定するとともに、当該領域を所定倍（１．５倍等）に拡大した部分画像を生成する。そして、情報端末１０の表示制御部５７は、当該部分画像を元の表示位置付近にタッチパネルＴＰに収まるように重畳表示する。なお、図１５に示すように、情報端末１０の表示制御部５７は、被編集オブジェクトＯＢ１を拡大表示する一方、当該被編集オブジェクトＯＢ１が配置されていない部分を非拡大状態で表示する。換言すれば、情報端末１０の表示制御部５７は、第１ページＰＧ１を非拡大状態で全体的に表示しつつ、被編集オブジェクトＯＢ１を拡大表示する。
【０１０３】
この後、今度は、ボタンＢＴ１〜ＢＴ６のうちボタンＢＴ２が押下されると、当該ボタンＢＴ２に対応する被編集オブジェクトＯＢ２が拡大対象として指定される。
【０１０４】
そして、情報端末１０の特定部５５は、編集内容情報ＥＪに記憶された被編集オブジェクトＯＢ２に対応する位置情報ＰＪ２に基づいて、複数の埋込オブジェクトＯＢｉの中から、ボタンＢＴ２により拡大対象として指定された被編集オブジェクトＯＢ２を特定する。
【０１０５】
具体的には、情報端末１０の特定部５５は、編集内容情報ＥＪに記憶された位置情報ＰＪ２と複数の埋込オブジェクトＯＢｉの各位置情報とを比較する。詳細には、情報端末１０の特定部５５は、編集内容情報ＥＪの２行目に記憶されたページ番号「１」と複数の埋込オブジェクトＯＢｉの各ページ番号とを比較するとともに、編集内容情報ＥＪの２行目に記憶された相対位置座標ＲＢ２と複数の埋込オブジェクトＯＢｉの各相対位置座標（詳細には左上頂点における相対位置座標）とを比較する。そして、情報端末１０の特定部５５は、ページ番号「１」と一致するページ番号を有し且つ相対位置座標ＲＢ２と一致する相対位置座標を有する埋込オブジェクトＯＢ２を被編集オブジェクトＯＢ２として特定する。
【０１０６】
特定部５５により被編集オブジェクトＯＢ２が特定されると、情報端末１０の表示制御部５７は、被編集オブジェクトＯＢ２に関する２つの代表点（相対位置座標（詳細には左上頂点座標および右下頂点座標））を取得する。
【０１０７】
そして、情報端末１０の表示制御部５７は、被編集オブジェクトＯＢ２を含む第１ページＰＧ１をタッチパネルＴＰに表示する。このとき、情報端末１０の表示制御部５７は、情報端末１０の指定部５４による指定に応答して、情報端末１０の特定部５５により特定された被編集オブジェクトＯＢ２を拡大表示する（図１６参照）。具体的には、情報端末１０の表示制御部５７は、被編集オブジェクトＯＢ２の上記２つの代表点（左上頂点座標および右下頂点座標）の位置座標を利用して、当該被編集オブジェクトＯＢ２を拡大表示する。
【０１０８】
この後、さらに、ボタンＢＴ１〜ＢＴ６のうちボタンＢＴ３が押下されると、当該ボタンＢＴ３に対応する被編集オブジェクトＯＢ３が拡大対象として指定される。
【０１０９】
そして、情報端末１０の特定部５５は、編集内容情報ＥＪに記憶された被編集オブジェクトＯＢ３に対応する位置情報ＰＪ３に基づいて、複数の埋込オブジェクトＯＢｉの中から、ボタンＢＴ３により拡大対象として指定された被編集オブジェクトＯＢ３を特定する。
【０１１０】
具体的には、情報端末１０の特定部５５は、編集内容情報ＥＪに記憶された位置情報ＰＪ３と複数の埋込オブジェクトＯＢｉの各位置情報とを比較する。詳細には、情報端末１０の特定部５５は、編集内容情報ＥＪの３行目に記憶されたページ番号「２」と複数の埋込オブジェクトＯＢｉの各ページ番号とを比較するとともに、編集内容情報ＥＪの３行目に記憶された相対位置座標ＲＢ３と複数の埋込オブジェクトＯＢｉの各相対位置座標（詳細には左上頂点における相対位置座標）とを比較する。そして、情報端末１０の特定部５５は、ページ番号「２」と一致するページ番号を有し且つ相対位置座標ＲＢ３と一致する相対位置座標を有する埋込オブジェクトＯＢ３を被編集オブジェクトＯＢ３として特定する。
【０１１１】
特定部５５により被編集オブジェクトＯＢ３が特定されると、情報端末１０の表示制御部５７は、被編集オブジェクトＯＢ３に関する２つの代表点（相対位置座標（詳細には左上頂点座標および右下頂点座標））を取得する。
【０１１２】
そして、情報端末１０の表示制御部５７は、被編集オブジェクトＯＢ３を含む第２ページＰＧ２をタッチパネルＴＰに表示する。このとき、情報端末１０の表示制御部５７は、情報端末１０の指定部５４による指定に応答して、情報端末１０の特定部５５により特定された被編集オブジェクトＯＢ３を拡大表示する（図１７参照）。具体的には、情報端末１０の表示制御部５７は、被編集オブジェクトＯＢ３の上記２つの代表点（左上頂点座標および右下頂点座標）の位置座標を利用して、当該被編集オブジェクトＯＢ３を拡大表示する。
【０１１３】
以後、ボタンＢＴ４〜ＢＴ６が押下された場合にも、それぞれ、上記と同様の動作が行われ、情報端末１０の特定部５５により特定された被編集オブジェクトＯＢｉが拡大表示される。
【０１１４】
具体的には、ボタンＢＴ４が選択されると、情報端末１０の特定部５５により特定される被編集オブジェクトＯＢ４を含む第２ページＰＧ２全体が表示されるとともに、当該被編集オブジェクトＯＢ４が拡大表示される（図１８参照）。
【０１１５】
ボタンＢＴ５が選択されると、情報端末１０の特定部５５により特定される被編集オブジェクトＯＢ５を含む第３ページＰＧ３全体が表示されるとともに、当該被編集オブジェクトＯＢ５が拡大表示される（図１９参照）。
【０１１６】
ボタンＢＴ６が選択されると、情報端末１０の特定部５５により特定される被編集オブジェクトＯＢ６を含む第３ページＰＧ３全体が表示されるとともに、当該被編集オブジェクトＯＢ６が拡大表示される（図２０参照）。
【０１１７】
以上の動作によれば、編集後の電子文書ＥＤが情報端末１０で表示されるに際して、編集内容情報ＥＪに記憶された位置情報ＰＪに基づいて、複数の埋込オブジェクトＯＢｉの中から、一の被編集オブジェクトＯＢが特定部５５により特定される。そして、特定部５５により特定された一の被編集オブジェクトＯＢが情報端末１０の表示制御部５７により拡大表示される。したがって、情報端末１０のタッチパネルＴＰのような比較的狭い領域に編集後の電子文書ＥＤが表示される場合においても、当該編集後の電子文書ＥＤにおける編集箇所（詳細には、一の被編集オブジェクトＯＢ）を容易に確認することが可能である。
【０１１８】
特に、編集後の電子文書ＥＤにおける編集箇所が複数存在する場合においても、それぞれの編集箇所を容易に確認することが可能である。
【０１１９】
また、複数の被編集オブジェクトＯＢ１〜ＯＢ６の中から一の被編集オブジェクトＯＢ（ＯＢ１）がタッチパネルＴＰに表示されるボタンＢＴ１〜ＢＴ６を介して情報端末１０の指定部５４により指定される。これによれば、編集後の電子文書ＥＤにおける複数の編集箇所（詳細には、複数の被編集オブジェクトＯＢ１〜ＯＢ６）の中から指定した編集箇所（たとえば被編集オブジェクトＯＢ１）を選択的に確認することが可能である。
【０１２０】
また、編集内容情報ＥＪに記憶された位置情報ＰＪに基づいて、複数の埋込オブジェクトＯＢｉの中から一の被編集オブジェクトＯＢが情報端末１０の特定部５５により特定される。これによれば、編集後の電子文書ＥＤに同一種類のオブジェクトＯＢが埋込オブジェクトＯＢとして複数埋め込まれている場合であっても、当該一の被編集オブジェクトＯＢを確実に特定することが可能である。
【０１２１】
＜２．第２実施形態＞
第２実施形態は、第１実施形態の変形例である。
【０１２２】
第２実施形態では、情報端末１０が複数の被編集オブジェクトＯＢｉの中から１または２以上の拡大対象の候補（以下、拡大対象候補オブジェクトＯＢとも称する）を選択し、当該１または２以上の拡大対象候補オブジェクトＯＢの中から指定される一の被編集オブジェクトＯＢを特定して拡大表示する態様を例示する。
【０１２３】
また、この第２実施形態では、複数の被編集オブジェクトＯＢｉの中から複数の拡大対象候補オブジェクトＯＢを選択し、当該複数の拡大対象候補オブジェクトＯＢのそれぞれを特定して順次に拡大表示する態様を例示する。
【０１２４】
また、この第２実施形態では、図２１に示すように、情報端末１０のコントローラ１９は、上記第１実施形態で説明した各処理部に加え、選択部５９をも有する。選択部５９は、複数の被編集オブジェクトＯＢｉの中から１または２以上の拡大対象候補オブジェクトを選択する処理部である。
【０１２５】
以下、この第２実施形態における情報端末１０の動作について説明する。
【０１２６】
上記第１実施形態と同様に、営業担当者ＳＳによる操作入力に応答して、情報端末１０の表示制御部５７は、電子文書ＥＤの第１ページＰＧ１全体を表示するとともに、当該第１ページＰＧ１の下側にボタン配置領域ＢＡを表示する（図１４参照）。
【０１２７】
図１４に示すボタン配置領域ＢＡのうちボタンＢＴ１〜ＢＴ６の非配置領域（ボタンＢＴ１〜ＢＴ６が配置されていない領域）が押下されると、情報端末１０の表示制御部５７は、選択用画面ＳＧをタッチパネルＴＰに表示する（図２２参照）。選択用画面ＳＧは、複数の被編集オブジェクトＯＢ１〜ＯＢ６の中から１または２以上の拡大対象候補オブジェクトＯＢを選択するための画面である。この選択用画面ＳＧは、情報端末１０の選択部５９の一部として機能する。
【０１２８】
図２２に示すように、選択用画面ＳＧには、複数の被編集オブジェクトＯＢ１〜ＯＢ６にそれぞれ対応する複数（６つ）のチェックボックスが設けられている。なお、選択用画面ＳＧ内の１行目から６行目は、被編集オブジェクトＯＢ１〜ＯＢ６にそれぞれ対応づけられている。
【０１２９】
また、図２２に示すように、選択用画面ＳＧには、ボタンＢＴ２１も設けられている。ボタンＢＴ２１は、チェックボックスを介して操作者により選択された１または２以上の被編集オブジェクトＯＢを拡大対象候補オブジェクトＯＢとして決定するためのボタンである。
【０１３０】
たとえば、選択用画面ＳＧにおいて被編集オブジェクトＯＢ１，ＯＢ４，ＯＢ６にそれぞれ対応するチェックボックスにチェックが入力された後、ボタンＢＴ２が押下されると、被編集オブジェクトＯＢ１，ＯＢ４，ＯＢ６が拡大対象候補オブジェクトＯＢとして決定される。
【０１３１】
この後、情報端末１０の表示制御部５７は、図２３に示すように、電子文書ＥＤの第１ページＰＧ１全体を表示する。このとき、情報端末１０の表示制御部５７は、当該第１ページＰＧ１の下側にボタン配置領域ＢＡを表示する。さらに、情報端末１０の表示制御部５７は、ボタン配置領域ＢＡの下側にボタンＢＴ３１，ＢＴ３２を表示する。
【０１３２】
図２３に示すように、ボタン配置領域ＢＡ内のボタンＢＴ１〜ＢＴ６のうち、拡大対象候補オブジェクトＯＢ１，ＯＢ４，ＯＢ６に対応するボタンＢＴ１，ＢＴ４，ＢＴ６は選択可能な状態で表示される。一方、ボタン配置領域ＢＡ内のボタンＢＴ１〜ＢＴ６のうち、被編集オブジェクトＯＢ２，ＯＢ３，ＯＢ５に対応するボタンＢＴ２，ＢＴ３，ＢＴ５はグレーアウト（無効化）され、選択できない状態で表示される。
【０１３３】
この後、たとえば、ボタンＢＴ１が押下されると、拡大対象候補オブジェクトＯＢ１，ＯＢ４，ＯＢ６の中から、当該ボタンＢＴ１に対応づけられている被編集オブジェクトＯＢ１が情報端末１０の指定部５４により拡大対象として指定される。
【０１３４】
被編集オブジェクトＯＢ１が指定されると、編集内容情報ＥＪに記憶された被編集オブジェクトＯＢ１に対応する位置情報ＰＪ１に基づいて、複数の埋込オブジェクトＯＢｉの中から被編集オブジェクトＯＢ１が情報端末１０の特定部５５により特定される。そして、当該被編集オブジェクトＯＢ１に関する２つの代表点（相対位置座標（詳細には左上頂点座標および右下頂点座標））が情報端末１０の表示制御部５７により取得される。
【０１３５】
この後、情報端末１０の表示制御部５７は、被編集オブジェクトＯＢ１を含む第１ページＰＧ１をタッチパネルＴＰに表示する。このとき、情報端末１０の表示制御部５７は、被編集オブジェクトＯＢ１を拡大表示する（図２４参照）。具体的には、情報端末１０の表示制御部５７は、被編集オブジェクトＯＢ１の上記２つの代表点（左上頂点座標および右下頂点座標）の位置座標を利用して、当該被編集オブジェクトＯＢ１を拡大表示する。
【０１３６】
なお、ボタンＢＴ４，ＢＴ６が押下された場合も、上記同様の動作が行われる。
【０１３７】
ところで、上述のように、図２３に示すタッチパネルＴＰ内には、ボタン配置領域ＢＡの下側にボタンＢＴ３１，ＢＴ３２も表示されている。
【０１３８】
ボタンＢＴ３１，ＢＴ３２は、拡大対象の更新（変更）用のボタンである。ボタンＢＴ３１（またはＢＴ３２）の押下操作に応じて、上述の選択用画面ＳＧ（図２２参照）を介して選択された複数の拡大対象候補オブジェクトＯＢが順次に拡大表示される。
【０１３９】
たとえば、選択用画面ＳＧを介して被編集オブジェクトＯＢ１，ＯＢ４，ＯＢ６が拡大対象候補オブジェクトＯＢとして選択された後、ボタンＢＴ３２が押下されたとする。
【０１４０】
この場合、情報端末１０の表示制御部５７は、まず、被編集オブジェクトＯＢ１を含む第１ページＰＧ１全体を表示するとともに、当該被編集オブジェクトＯＢ１を拡大表示する（図２４参照）。
【０１４１】
この後、ボタンＢＴ３２が再度押下されると、情報端末１０の表示制御部５７は、被編集オブジェクトＯＢ４を含む第２ページＰＧ２全体を表示するとともに、当該被編集オブジェクトＯＢ４を拡大表示する（図２５参照）。
【０１４２】
さらに、ボタンＢＴ３２が再度押下されると、情報端末１０の表示制御部５７は、被編集オブジェクトＯＢ６を含む第３ページＰＧ３全体を表示するとともに、当該被編集オブジェクトＯＢ６を拡大表示する（図２６参照）。
【０１４３】
このように、ボタンＢＴ３２が押下される度に、情報端末１０の表示制御部５７は、拡大対象候補オブジェクトＯＢ１，ＯＢ４，ＯＢ６を順次に（昇順に）に拡大表示する。
【０１４４】
一方、ボタンＢＴ３１が押下されると、情報端末１０の表示制御部５７は、拡大対象候補オブジェクトＯＢ１，ＯＢ４，ＯＢ６を順次に（降順に）に拡大表示する。
【０１４５】
たとえば、図２６に示すタッチパネルＴＰにおいて、ボタンＢＴ３１が押下されると、情報端末１０の表示制御部５７は、被編集オブジェクトＯＢ４を含む第２ページＰＧ２全体を表示するとともに、当該被編集オブジェクトＯＢ４を拡大表示する（図２５参照）。
【０１４６】
この後、ボタンＢＴ３１が再度押下されると、情報端末１０の表示制御部５７は、被編集オブジェクトＯＢ１を含む第１ページＰＧ１全体を表示するとともに、当該被編集オブジェクトＯＢ１を拡大表示する（図２４参照）。
【０１４７】
以上の動作によれば、複数の拡大対象候補オブジェクトＯＢ１，ＯＢ４，ＯＢ６が順次に拡大表示されるので、当該複数の拡大対象候補オブジェクトＯＢ１，ＯＢ４，ＯＢ６のそれぞれを連続して確認することが可能である。
【０１４８】
また、複数の被編集オブジェクトＯＢ１〜ＯＢ６の中から複数の拡大対象候補オブジェクトＯＢ１，ＯＢ４，ＯＢ６が選択され、当該複数の拡大対象候補オブジェクトＯＢ１，ＯＢ４，ＯＢ６が順次に拡大表示される。したがって、確認を要しない編集箇所（被編集オブジェクトＯＢ２，ＯＢ３，ＯＢ５）を予め除外した上で、確認したい編集箇所（被編集オブジェクトＯＢ１，ＯＢ４，ＯＢ６）を拡大表示してすることが可能である。
【０１４９】
＜３．変形例等＞
以上、この発明の実施の形態について説明したが、この発明は上記説明した内容のものに限定されるものではない。
【０１５０】
上記各実施形態においては、情報端末１０の特定部５５により特定された被編集オブジェクトＯＢｉの拡大表示前において当該被編集オブジェクトＯＢｉがそのまま表示される場合を例示したが、これに限定されない。たとえば、図２７に示すように、情報端末１０の特定部５５により特定された被編集オブジェクトＯＢ１，ＯＢ２の拡大表示前において、当該被編集オブジェクトＯＢ１，ＯＢ２に特定の色（たとえば赤色）が付されて表示されるようにしてもよい。これによれば、拡大表示の対象である各被編集オブジェクトＯＢ１，ＯＢ２が配置されている箇所を当該各被編集オブジェクトＯＢ１，ＯＢ２の拡大表示前に把握することが可能である。なお、図２７では、被編集オブジェクトＯＢ１の背景色に特定の色が付されて表示される場合を例示したが、これに限定されない。たとえば、被編集オブジェクトＯＢ１を構成する要素である文字に特定の色（たとえば赤色）が付されて表示されるようにしてもよい。
【０１５１】
あるいは、図２８に示すように、情報端末１０の特定部５５により特定された被編集オブジェクトＯＢ１，ＯＢ２の拡大表示前において、当該被編集オブジェクトＯＢ１，ＯＢ２が点滅表示されるようにしてもよい。
【０１５２】
あるいは、図２９に示すように、情報端末１０の特定部５５により特定された被編集オブジェクトＯＢ１，ＯＢ２の拡大表示前において、当該被編集オブジェクトＯＢ１，ＯＢ２が囲み線により囲まれて表示されるようにしてもよい。
【０１５３】
あるいは、図３０に示すように、情報端末１０の特定部５５により特定された被編集オブジェクトＯＢ１，ＯＢ２の拡大表示前において、当該被編集オブジェクトＯＢ１，ＯＢ２に下線が付されて表示されるようにしてもよい。
【０１５４】
また、上記各実施形態では、被編集オブジェクトＯＢｉの相対位置座標が編集内容情報ＥＪに記録される場合を例示したが、これに限定されず、被編集オブジェクトＯＢｉの絶対位置座標が編集内容情報ＥＪに記録されるようにしてもよい。この場合、情報端末１０は、座標変換用テーブルを用いて絶対位置座標を相対位置座標に変換して用いるようにすればよい。なお、座標変換用テーブルは、情報端末１０の格納部１５に予め格納されるようにすればよい。
【０１５５】
また、上記各実施形態では、情報端末１０の特定部５５により特定された被編集オブジェクトＯＢｉが拡大表示される一方、当該被編集オブジェクトＯＢｉが配置されていない部分が非拡大状態で表示される場合を例示したが、これに限定されない。たとえば、当該被編集オブジェクトＯＢｉが拡大表示されるとともに、当該被編集オブジェクトＯＢｉが配置されていない部分も拡大表示されるようにしてもよい。すなわち、被編集オブジェクトＯＢｉとともに、当該被編集オブジェクトＯＢｉの周辺部も拡大表示されるようにしてもよい。
【０１５６】
また、上記第２実施形態では、複数の拡大対象候補オブジェクトＯＢがタッチパネルＴＰに表示されるボタンＢＴ３１，ＢＴ３２への操作入力に応答して順次に拡大表示される場合を例示したが、これに限定されない。たとえば、複数の拡大対象候補オブジェクトＯＢが所定時間（たとえば５秒間）間隔で順次に表示されるようにしてもよい。
【符号の説明】
【０１５７】
ＡＲｉ  各絶対位置座標
ＢＡ  ボタン配置領域
ＤＲ  編集指示書
ＥＪ  編集内容情報
ＬＶｉ  左上頂点
ＰＪ（ＰＪ１〜ＰＪ３）  位置情報
ＲＢｉ（ＲＢ１〜ＲＢ３）  相対位置座標
ＳＧ  選択用画面
ＳＴ  編集項目管理シート
【図１】
2014119989.tif 000003
【図２】
2014119989.tif 000004
【図３】
2014119989.tif 000005
【図４】
2014119989.tif 000006
【図５】
2014119989.tif 000007
【図６】
2014119989.tif 000008
【図７】
2014119989.tif 000009
【図８】
2014119989.tif 000010
【図９】
2014119989.tif 000011
【図１０】
2014119989.tif 000012
【図１１】
2014119989.tif 000013
【図１２】
2014119989.tif 000014
【図１３】
2014119989.tif 000015
【図１４】
2014119989.tif 000016
【図１５】
2014119989.tif 000017
【図１６】
2014119989.tif 000018
【図１７】
2014119989.tif 000019
【図１８】
2014119989.tif 000020
【図１９】
2014119989.tif 000021
【図２０】
2014119989.tif 000022
【図２１】
2014119989.tif 000023
【図２２】
2014119989.tif 000024
【図２８】
2014119989.tif 000025
【図２９】
2014119989.tif 000026
【図３０】
2014119989.tif 000027
【図２３】
2014119989.tif 000028
【図２４】
2014119989.tif 000029
【図２５】
2014119989.tif 000030
【図２６】
2014119989.tif 000031
【図２７】
2014119989.tif 000032